(57)【要約】【課題】  ディスク或いは半導体メモリ等の大容量記録媒体を用いた動画・音声データ等を記録する記録再生装置を複数のユーザによる使用状況において、それぞれのユーザにとって使いやすくする。【解決手段】  複数のユーザで記録再生装置を使用する際にユーザ毎にＩＤ番号を決め、記録されているプログラム(番組)とＩＤ番号とを関連付け、更に、各ユーザの記録可能データ量と共有環境の記録可能データ量を予め決めておく。電源投入直後にＩＤ番号を入力すれば、プログラム選択画面にはＩＤ番号に関連したプログラムのみを表示する。また、ＩＤ番号の入力手段として、装置本体やリモコンにある複数のボタンを押す、またはユーザ人数分のリモコンを用意する。更に、携帯電話機をリモコンとして登録し、ＩＤ番号として携帯電話機の電話番号を登録する。【選択図】        図１
2005259251.tif 000002
【特許請求の範囲】
【請求項１】
ユーザを特定するための情報を入力する入力手段と、前記特定されたユーザ毎にプログラム(番組)を関連付ける手段と、前記プログラムを表示する表示手段とを備え、前記表示手段には、前記特定されたユーザに関連付けられたプログラムのみを表示することを特徴とする情報記録再生装置。
【請求項２】
前記入力手段は、ユーザ毎に割り当てられたリモコンであり、リモコン別にプログラムを関連付けることを特徴とする請求項１に記載の情報記録再生装置。
【請求項３】
前記プログラムを関連付ける手段は、各ユーザ毎にＩＤ番号を割り当てることによってプログラムとユーザとを関連付けることを特徴とする請求項１に記載の情報記録再生装置。
【請求項４】
全体記録可能データ量のうち、各ユーザの記録可能データ量と共有環境の記録可能データ量を予め決めておくことを特徴とする請求項１に記載の情報記録再生装置。
【請求項５】
前記入力手段は、装置本体もしくは装置に付属しているリモコンにある複数のボタンを押すことによりＩＤ番号を入力することを特徴とする請求項１に記載の情報記録再生装置。
【請求項６】
前記関連付けられたプログラムは、既に記録済みのプログラム又は予約プログラムであることを特徴とする請求項１に記載の情報記録再生装置。
【請求項７】
前記プログラムを関連付ける手段は、ユーザ毎のＩＤ番号に一桁の数字キーを割り当て、パワーオン時から所定時間以内にＩＤ番号キーを押すことにより関連付けを行うことを特徴とする請求項１に記載の情報記録再生装置。
【請求項８】
前記入力手段は、ユーザが使用する携帯電話機をリモコンとして登録し、特定のＩＤ番号を送信することを特徴とする請求項１に記載の情報記録再生装置。
【請求項９】
前記特定のＩＤ番号は、前記携帯電話機の電話番号であることを特徴とする請求項８に記載の情報記録再生装置。
【請求項１０】
前記携帯電話機をリモコンとして登録する場合には、ウェブから登録するための情報をダウンロードして、設定を行うことを特徴とする請求項８に記載の情報記録再生装置。
【発明の詳細な説明】
【技術分野】
【０００１】
本発明は、情報記録媒体に情報の記録或いは再生を行う情報記録再生装置のユーザインターフェース技術、特に、複数のユーザで情報記録再生装置を操作する際にその操作を容易にする技術に関するものである。
【背景技術】
【０００２】
近年、ＤＶＤに関する映像、音声等のデジタルデータを記録再生する装置として、ＨＤＤレコーダやＤＶＤレコーダ等がある。これらの大容量記録媒体は、アンテナから受信したプログラム(番組)を記録、再生等するため一般的に普及している。
【０００３】
一般的に、このような情報記録再生装置に備わっている機能について以下に説明する。
【０００４】
(タイマー予約機能)
この記録再生装置にはプログラム(番組)が放送されるであろう時刻と時間をセットし、その時刻からプログラムの録画を開始し、開始してからセットした時間を過ぎると録画を終わる予約機能が付いている。
【０００５】
(レジューム機能)
プログラムを前回停止した位置より再生ができる機能(今後これをレジューム情報と呼び、この情報をもとにその位置から再生を始める機能をレジューム機能と呼ぶ)を有する装置も提案されている。これは、例えば、特開２００２−１１２２０１号公報に記載されている（特許文献１）。
【特許文献１】特開２００２−１１２２０１号公報
【発明の開示】
【発明が解決しようとする課題】
【０００６】
近年、記録媒体の大容量化により同じ媒体を複数のユーザにより使用する機会が増えてきており、それに伴って様々な課題が生じている。
【０００７】
まず、予約領域確保に関する課題がある。即ち、図１７に示すように記録媒体の空き容量がＭの時点で、ユーザＡが記録予定データ量Ｘであるプログラム(番組)を予約していたが、このプログラムが記録される前にユーザＢがデータ量Ｙのプログラムを記録してしまい、
Ｍ−Ｙ＜Ｘ  …（１）
となった場合には、ユーザＡの予約していたプログラムの記録に必要な領域、データ量Ｘが確保できなくなってしまう。
【０００８】
次に、レジューム情報の混在という課題がある。例えば、図１８に示すようにユーザＣとユーザＤがいたとして、ユーザＣが前回まで見ていたプログラムのレジューム機能を使用する際、ユーザＣのレジューム機能とユーザＤの多数あるレジューム情報が混在した中から自分のプログラムを見付け出し、更に、レジューム機能を使用するというステップが必要になる。ユーザが増えれば増えるほどこの負担は増える。
【０００９】
更に、プログラムの誤消去の課題がある。即ち、同じ記録再生装置を複数のユーザが使用することにより、ユーザＧが記録したプログラムをユーザＨが勝手に消去してしまうという課題があった。
【００１０】
本発明は、上記課題を解決するためになされたもので、その目的は、複数のユーザが使用しても予約した記録領域を確保でき、レジューム情報が混在することがなく、更には、誤消去もなく、使い易い情報記録再生装置を提供することにある。
【課題を解決するための手段】
【００１１】
本発明は、上記課題を解決するため、ユーザを特定するための情報を入力する入力手段と、前記特定されたユーザ毎にプログラム(番組)を関連付ける手段と、前記プログラムを表示する表示手段とを備え、前記表示手段には、前記特定されたユーザに関連付けられたプログラムのみを表示することを特徴とする。
【００１２】
本発明においては、ユーザ毎にユーザＩＤ番号を割り当て、ＩＤ番号と記録再生装置に記録されているプログラム(番組)を関連付ける。表示手段で表示する時には特定されたユーザに関連付けられたプログラムだけを表示する。更に、各ユーザの記録可能データ量と共有環境の記録可能データ量を予め決めておく。関連付けとデータ量の設定により、複数のユーザ使用に起因する前述の課題を解決することができる。
【００１３】
ＩＤ番号を入力する手段としては、ユーザ毎にリモコンを割り当て、リモコン毎にプログラムデータを関連付けることが可能である。また、ＩＤ番号入力手段として、装置本体もしくは装置に付属しているリモコンにある複数のボタンを押すことによりＩＤ番号を特定することもできる。
【００１４】
プログラムとユーザＩＤの関連付けはパワーオン時から所定時間以内にＩＤ番号キーを押すことにより可能である。また、ユーザ所有の携帯電話機をリモコンとして記録再生装置に登録することもできる。この場合、ＩＤ番号は携帯電話機の電話番号を使用できる。リモコンとして携帯電話機を登録する方法としては、ウェブから登録するための情報をダウンロードして設定を行う。
【発明の効果】
【００１５】
本発明によれば、複数のユーザが同じ記録再生装置を使用する際に、複数ユーザ人数分のＩＤ番号を設定し、記録されているプログラムとユーザＩＤを関連付け、更に、各ユーザの記録可能データ量と共有環境の記録可能データ量を予め決めておくことにより、予約領域を確保することを可能にし、レジューム機能も簡単にすることを可能にし、更に、誤ったプログラムの消去も回避することが可能となり、複数ユーザが同じ記録再生装置を使用する際に使い勝手を良くすることができる。
【００１６】
更に、ユーザを特定する方法として電源を起動してから一定時間以内に装置本体もしくは装置に付属しているリモコンにある複数のボタンを押すことによりＩＤ番号を入力する以外に、ユーザ人数分のリモコンを用意するか、ユーザ所有の携帯電話機をリモコンとして登録することにより、ＩＤ番号入力の手間を省くことが可能になる。
【発明を実施するための最良の形態】
【００１７】
次に、発明を実施するための最良の形態について図面を参照して詳細を説明する。図１は本発明による情報記録再生装置の一実施形態の構成を示すブロック図である。本発明を適用可能な情報記録再生装置としては、例えば、ＨＤＤ(ハード・ディスク・ドライブ)レコーダやＤＶＤ(デジタル・バーサタイル・ディスク)レコーダ等が挙げられる。図中１０はＨＤＤや光ディスク等の記録媒体、２０は記録媒体１０を駆動するドライブ、３０はＡ／Ｖ入力部、４０はデータの符号化と復号化を行うコーデック部、５０はＡ／Ｖ出力部、６０は装置全体を制御するマイクロコンピュータ、７０は動作表示部、８０はキー入力部、９０は必要な情報を記録するメモリである。
【００１８】
記録媒体１０にデータを記録する際は、チューナ等のＡ／Ｖ入力部３０から入力された外部アナログビデオ信号と外部アナログオーディオ信号を、マイクロコンピュータ６０がコーデック部４０を制御して、記録媒体１０に記録可能なデータに符号化し記録する。データを再生する際には、マイクロコンピュータ６０が制御し、記録媒体１０から読み出されたデジタル信号をコーデック部４０においてＡ／Ｖ出力部５０の先につながるＴＶ等のモニターで表示できるデータに復号化してから再生する。
【００１９】
次に、ＩＤ番号の振り分けと予約領域の保護について説明する。記録再生装置をユーザが手にしてから最初に電源を投入した際に行う動作を図２に示す。まず、電源の投入直後にユーザ毎にＩＤ番号を作成するかをユーザがキー入力部８０を操作して選択する（Ｓ１０１）。ＩＤ番号を作成しない場合は初期設定を終了する。
【００２０】
ＩＤ番号を作成する場合には、まず、記録再生装置を使用するユーザの人数をキー入力部８０から入力する（Ｓ１０２）。次いで、ユーザ人数が一人か否かを判定し（Ｓ１０３）、一人の場合は初期設定を終了する。複数のユーザが存在する場合には、その人数をキー入力部８０から登録する。その後、必要であれば、年齢の入力を実行するかどうかを判断し（Ｓ１０４）、年齢入力を実行する場合には、ユーザの年齢の登録をキー入力部８０から行う（Ｓ１０５）。次に、複数のユーザの人数分のパスワードの設定をキー入力部８０から行う（Ｓ１０６〜Ｓ１０７）。
【００２１】
次いで、ユーザの人数分の設定ができたかを判定し（Ｓ１０８）、ユーザ人数分の設定ができたら記録再生装置がユーザ毎にＩＤを割り当てる（Ｓ１０９）。例えば、ユーザが４人であれば、ＩＤ番号を１番から４番まで割り当てる。また、好きな番号をＩＤ番号としてユーザがキー入力部８０から登録することも出来る。
【００２２】
次に、全てのユーザが使用可能な共有環境において記録可能なデータ量をキー入力部８０から設定する（Ｓ１１０）。共用環境はＩＤ番号なしでもよい。必要がなければ０とする。次に、ユーザ毎に記録可能なデータ量の設定を行う（Ｓ１１１）。この時、共有環境における記録可能データ量と全ユーザの記録可能なデータ量の総和が記録媒体１０の記録可能データ量を越えてはならない。
【００２３】
ユーザ登録を行った時のテーブルの一例を図３に示す。この例では、ユーザが4人であった場合を示す。また、図３に示すテーブルでは記録媒体１０全体の記録可能時間を１２０時間とした時、共有環境で使用できる記録可能時間を４０時間とおいて、その他余りの時間をユーザ人数分に均等に配分した時の一人分の記録可能時間が、
（１２０−４０）／４＝２０（時間）  …（２）
となる例を示す。このようにユーザ毎に記録可能な時間(データ量)を決めておけば、あるユーザが予約用に設定した領域を確保することができる。
【００２４】
図４は初期設定で登録された個々のユーザ情報をリストアップしたものである。名前、性別、携帯電話番号等も必要であれば設定可能である。これらのユーザ情報は記録再生装置内のメモリ９０に記録される。毎回電源投入時にキー入力部８０からＩＤ番号を設定し、設定されたＩＤに対応するユーザ情報をメモリ９０から読み出す。
【００２５】
図５はそれぞれの情報が入力されたテーブルの一例を示す。メモリ９０に記録されたユーザ情報をもとにレジューム機能や記録プログラムの保護を行う。但し、図５ではデータ量に関しては単位を省略している。
【００２６】
次に、レジューム機能の使用方法について説明する。ＩＤ番号設定後に主電源の投入の際に行う動作を図６に示す。まず、あるユーザがＩＤ番号を入力し（Ｓ２０１）、その後、前回プログラムの途中で停止して主電源を切った場合には（Ｓ２０２がＹｅｓ）、次回、そのユーザが主電源を起動した際に前回のレジューム情報を使用するかどうかの確認画面をＡ／Ｖ出力部５０から出力する。この時、その確認画面に基づいてユーザが前回停止位置から再生を開始するかどうかを選択する（Ｓ２０３）。
【００２７】
この際、ユーザが再生することをキー入力部８０から決定すれば、図５に示すようにメモリ９０に記録されているユーザ情報の中にあるユーザＩＤと、前回レジューム使用プログラムＮｏ．をもとに図７に示すようなプログラム記録時やプログラム再生時にメモリ９０に記録されるプログラム情報のうち、ユーザＩＤに対応するレジューム情報を瞬時に参照することにより、対応するプログラムを記録媒体１０からドライブ２０を通してコーデック部４０でデコードし、デコードされたデータをＡ／Ｖ出力部５０からモニター等に出力することにより再生を開始する（Ｓ２０４）。
【００２８】
図８はプログラム情報をリストアップしたものである。ユーザが再生することを選ばなかったら、Ａ／Ｖ出力部５０に他の操作画面を出力する。
【００２９】
図９は再生を開始後から停止、終了時に行う動作を示すフローチャートである。図９のＡは図６のＡから続いている。再生を行って（図６のＳ２０４）、プログラムがそのまま終了した場合には（Ｓ３０１がＹｅｓ）、メモリ９０に記録されているユーザ情報の前回レジューム使用プログラムＮｏ．（図５）とプログラム情報におけるユーザに対応したレジューム情報（図７）を消去して終了する（Ｓ３０２）。また、再びプログラムの途中で停止した際には（Ｓ３０３）、メモリ９０に記録されていたプログラム情報のユーザに対応したレジューム情報を更新して終了する（Ｓ３０４）。
【００３０】
図１０は主電源投入後にレジューム情報がない時や前回主電源を落した時に見ていたプログラムのレジューム機能を使用しない場合の動作を示すフローチャートである。図１０のＢは図６のＢから続いている。まず、再生を行うかどうかの確認画面をＡ／Ｖ出力部５０から出力する（Ｓ４０１）。再生以外の操作をする場合は再生以外の操作使用環境をＡ／Ｖ出力部５０に出力する（Ｓ４０２）。再生を選んだ場合には、図１１に示すようにプログラム選択画面をＡ／Ｖ出力部５０に出力する。
【００３１】
図１１では操作するユーザのＩＤ番号が図７に示す様にメモリ９０内に記録されているプログラム情報の登録ユーザＩＤ番号に合うプログラムをサムネイル(静止画)や、プログラムのトータル時間を表示し、ユーザがそのプログラムに対し登録したレジューム情報があれば、記録媒体１０にあるプログラムとメモリ９０に記録されているプログラム情報内レジューム情報を照らし合わせて、そのレジュームに対応するサムネイル(静止画)も表示する。その中で、再生するプログラムをキー入力部８０から選択する（Ｓ４０３）。
【００３２】
次に、そのプログラムのレジューム機能を使用するか（前回停止位置から再生するか）を判断し（Ｓ４０４）、レジューム機能を使用する時にはそのレジューム情報が持つ位置から（Ｓ４０５）、使用しない時はプログラムの先頭から再生を開始する（Ｓ４０６）。共有使用環境では、全てのプログラムを閲覧可能であり、プログラムを選択してそのプログラムに対し、様々な操作が可能である。
【００３３】
次に、記録プログラムの保護について説明する。図１２は記録動作を示すフローチャートである。図１２のＣは図１０のＣから続いている。まず、プログラムの記録を開始し（Ｓ５０１）、記録を終了する（Ｓ５０２）。その後、特定ユーザ環境を使用しているかどうかを判断し（Ｓ５０３）、特定ユーザ環境を使用している場合には、使用中のユーザＩＤをメモリ９０から参照し、メモリ９０に記録されているプログラム情報にＩＤ番号を登録ＩＤ番号として記録する（Ｓ５０４）。
【００３４】
一方、共有環境で使用していた時には、メモリ９０に記録されているプログラム情報に登録ＩＤ番号を新たに書き込むかどうかを選択する画面をＡ／Ｖ出力部５０に出力し（Ｓ５０５）、書き込む場合はＩＤ番号を入力部８０から選択する（Ｓ５０６）。書き込まない場合にはそのまま記録を終了する。
【００３５】
図１３はプログラムの消去動作を示すフローチャートである。まず、プログラム選択画面からプログラムを選択し（Ｓ６０１）、そのプログラムの消去を入力する（Ｓ６０２）。その後、特定ユーザ環境で使用しているかどうかを判断し（Ｓ６０３）、特定ユーザ環境を使用している場合には、メモリ９０に記録されているプログラム情報に現在使用中のユーザ以外に対応する登録ＩＤの存在を確かめる（Ｓ４０４）。
【００３６】
登録ＩＤが存在する場合は、メモリ９０に記録されているプログラム情報から現在使用中のユーザに対応する登録ＩＤをそのプログラム情報から消去する（Ｓ６０５）。存在しない場合には、記録媒体１０からプログラムを消去する（Ｓ６０６）。
【００３７】
一方、Ｓ６０３で共有環境で使用している時には、メモリ９０に記録されているプログラム情報に登録ＩＤの存在を確かめる（Ｓ６０７）。存在する場合は消去不可能なことをユーザに通知する画面をＡ／Ｖ出力部５０に出力する（Ｓ６０８）。存在しない場合には記録媒体１０からプログラムを消去する（Ｓ６０６）。
【００３８】
それぞれ処理が終わったら再び図１１に示すようなプログラム選択画面をＡ／Ｖ出力部５０に出力し、プログラム選択画面に戻る。これにより、メモリ９０に記録されているプログラム情報に登録ＩＤが存在するプログラムについては消去されることがなくなり、プログラムの誤消去がなくなる。
【００３９】
図１４はＩＤ番号を設定する装置の一例を示す。図１４（ａ）はリモコンを用いてＩＤ番号を入力する場合の一例を示す。また、図１４（ｂ）は装置本体のキー入力部８０の複数のキーの構成を示す。まず、図１４（ａ）に示すようにリモコンを用いる場合には、複数のＩＤ番号を設定するためのボタンが付いている。
【００４０】
また、図１４（ｂ）に示すように装置本体にはＩＤ番号を入力するためのＩＤ番号ボタンが設けられている。図１４（ｂ）の例では、４人分のＩＤ番号ボタンＩＤ１〜ＩＤ４が設けられている。いずれの場合も電源ボタンを押してから２秒以内にユーザＩＤ番号が押されれば、ＩＤ番号に対応するユーザ情報をメモリ９０から参照して特定ユーザ環境を起動させる。２秒の間ボタンが押されなかったら共有環境を起動させる。
【００４１】
また、装置使用中に特定の特定ユーザ環境から共有環境に移動する、または共有環境から特定の特定ユーザ環境に移動することも可能である。更に、ＩＤ番号入力の手段として、ユーザ人数分のリモコンを用意しても良い。この場合には、あるユーザが自己専用のリモコンを使用した場合は、Ａ／Ｖ出力部５０に出力するプログラム選択画面をユーザに対応するものを表示する。
【００４２】
また、図１５に示すようにリモコンとして使用できる携帯電話機を記録再生装置に登録し、ＩＤ番号とその携帯電話機の電話番号を関連付けることにより電源投入時にＩＤ番号の入力の手間を省くことが可能である。
【００４３】
リモコンとして登録する場合は、まず、記録再生装置をこれから携帯電話機を登録しようとしているユーザが使用しているＩＤ番号で起動させる。次に、携帯電話機から記録再生装置に対応する、登録するためのデータをウェブからダウンロードして、記録再生装置にダウンロードデータを送れば、携帯電話番号をメモリ９０内のユーザ情報に登録でき、携帯電話番号とユーザのＩＤ番号を関連付けて、携帯電話番号をユーザ専用リモコンとして登録することができる。
【００４４】
次に、カムコーダを用いてデータの転送を行う場合の実施形態について説明する。カムコーダで動画・音声データを記録する場合には、記録場所、記録者、記録日時等の動画・音声データに関する情報(メタデータ)が同時に記録される。本実施形態では、図１６に示すようにカムコーダで記録した動画・音声データを記録再生装置に転送する際に、メタデータの記録者データを参照し、メモリ９０内のユーザ情報に同じデータを発見した場合には、メモリ９０内のプログラム情報に加わる記録情報に記録者に対応するＩＤ番号を登録する。その他の構成は第１の実施形態と同様である。
【図面の簡単な説明】
【００４５】
【図１】本発明による情報記録再生装置の一実施形態を示すブロック図である。
【図２】ＩＤ番号の割り当てを示すフローチャートである。
【図３】記録領域の分割例を示す図である。
【図４】ユーザ情報の一例を示す図である。
【図５】ユーザ情報のテーブルの一例を示す図である。
【図６】電源起動時のレジューム機能の使用選択を示すフローチャートである。
【図７】プログラム情報のテーブルの一例を示す図である。
【図８】プログラム情報の一例を示す図である。
【図９】プログラム終了時もしくはプログラム停止時の動作を示すフローチャートである。
【図１０】前回終了時のレジューム機能を使用しない際の再生動作を示すフローチャートである。
【図１１】前回終了時のレジューム機能を使用しない場合の再生プログラムの選択画面の一例を示す図である。
【図１２】プログラムを記録する場合の動作を示すフローチャートである。
【図１３】プログラムを消去する場合の動作を示すフローチャートである。
【図１４】ＩＤ番号を設定する装置の一例を示す図である。
【図１５】携帯電話機をリモコンとして登録する場合の例を示す図である。
【図１６】カムコーダから記録再生装置へ動画・音声データを転送する例を示す図である。
【図１７】従来の予約に関する課題を説明する図である。
【図１８】従来のレジューム機能の使用に関する課題を説明する図である。
【符号の説明】
【００４６】
１０  記録媒体
２０  ドライブ
３０  Ａ／Ｖ入力部
４０  コーデック部
５０  Ａ／Ｖ出力部
６０  マイクロコンピュータ
７０  動作表示部
８０  キー入力部
９０  メモリ
【図１】
2005259251.tif 000003
【図２】
2005259251.tif 000004
【図３】
2005259251.tif 000005
【図４】
2005259251.tif 000006
【図５】
2005259251.tif 000007
【図６】
2005259251.tif 000008
【図７】
2005259251.tif 000009
【図８】
2005259251.tif 000010
【図９】
2005259251.tif 000011
【図１０】
2005259251.tif 000012
【図１１】
2005259251.tif 000013
【図１２】
2005259251.tif 000014
【図１３】
2005259251.tif 000015
【図１４】
2005259251.tif 000016
【図１５】
2005259251.tif 000017
【図１６】
2005259251.tif 000018
【図１７】
2005259251.tif 000019
【図１８】
2005259251.tif 000020